(57)【要約】      （修正有）【課題】通常は快適な着帽感が得られ、作業中等の風に対しては飛ぶことを防ぐ帽子を提供する。【解決手段】少なくともクラウン部２の頭囲部分を有する帽子１において、平帯状の弾性部材で形成され帽子内面に張り巡らせた頭部把持バンド１０と、該頭部把持バンドを、前記クラウン部内面の両耳上部近傍を含む前半頭囲部分の前頭部と右側頭部と左側頭部の少なくとも３箇所で係合する手段と、を備える。また、前記頭部把持バンド１０の長さが前記クラウン部２内面の右側頭部の係合位置から前頭部を経由し左側頭部の係合位置に至る弧の長さより短く形成することにより、着帽時に前記頭部把持バンドを頭部に密着させ、把持することが出来る様になる。【選択図】図１
0003183608.tif 000002
【実用新案登録請求の範囲】
【請求項１】
少なくともクラウン部の頭囲部分を有する帽子において、
平帯状の弾性部材で形成され帽子内面に張り巡らせた頭部把持バンドと、
該頭部把持バンドを、前記クラウン部内面の両耳上部近傍を含む前半頭囲部分の前頭部と右側頭部と左側頭部の少なくとも３箇所で係合する手段と、
を備え、
前記頭部把持バンドの長さが前記クラウン部内面の右側頭部の係合位置から前頭部を経由し左側頭部の係合位置に至る弧の長さより短いことにより、着帽時に前記頭部把持バンドが頭部に密着し、把持することを特徴とする帽子
【請求項２】
前記係合する手段において、前頭部の係合する手段のみが頭部把持バンドにおける係合位置を変動させることが可能な係合手段であることを特徴とする請求項１に記載した帽子。
【請求項３】
前記弾性部材がゴム紐であることを特徴とする請求項１または請求項２に記載した帽子
【請求項４】
前記係合する手段のうち少なくとも右側頭部又は左側頭部のいずれかにおける当該係合する手段が前記頭部把持バンドの係合位置を調整することが可能な係合手段であることを特徴とする請求項１から請求項３のいずれか１項に記載した帽子
【請求項５】
前記係合する手段が、前記頭部把持バンドの脱着をすることが可能な係合手段であることを特徴とする請求項１から請求項４のいずれか１項に記載した帽子
【請求項６】
前記頭部把持バンドの脱着をすることが可能な係合手段が、
前記頭部把持バンドの少なくとも３箇所の各係合位置に設けられた掛け止め片と、
前記クラウン部内面の頭囲部分の各係合位置に配設された頭囲方向の複数個の掛け止め片受部と、
を備え、
該掛け止め片と該掛け止め片受部とを掛け止めあるいは掛け外しすることにより前記頭部把持バンドの脱着を行い、
前記掛け止め片を複数個設けられた前記掛け止め片受部の中から任意に選択して掛け止めすることにより前記頭部把持バンドの係合位置の調整を行うことを特徴とする請求項５に記載した帽子
【請求項７】
前記頭部把持バンドの脱着をすることが可能な係合手段が、
前記頭部把持バンドの少なくとも３箇所の各係合位置に接合されたフック側面ファスナーと、
前記クラウン部内面の頭囲部分の各係合位置に接合されたループ側面ファスナーと、
を備え、
該フック側面ファスナーと該ループ側面ファスナーとを押止あるいは剥離することにより前記頭部把持バンドの脱着を行い、
前記フック側面ファスナーを前記ループ側面ファスナーの任意の位置に押止することにより前記頭部把持バンドの係合位置の調整を行うことを特徴とする請求項５に記載した帽子
【考案の詳細な説明】
【技術分野】
【０００１】
本考案は、着帽した際に、風などにより飛んだり、脱落したり（以下、飛脱）することを防ぐ帽子に関する。
【背景技術】
【０００２】
従来、屋外での作業または自転車の運転またはスポーツを行う際には、着帽した帽子がよく飛脱することが知られており、これを防ぐために様々な方法や手段が用いられている。
【０００３】
例えば、帽子の両側側頭部に２本の紐を取り付けて、顎で該紐を結んだり、帽子の両側側頭部に架け渡したゴム紐を顎に掛け止めたりすることにより帽子の飛脱を防ぐ顎紐が知られている。顎紐を使用した場合、脱帽することはあっても、体から離脱することを防ぐことができる。
【０００４】
後頭部で頭囲部分の周囲長を調節するためのアジャスターを帽子に備え、着帽者の頭囲部分を締め付けて飛脱を防ぐ帽子が知られている。前記アジャスターは、前頭部にツバ部を有するキャップタイプの帽子に用いられることが多い。
頭囲部分とは、頭回りともいい、帽子のクラウン部において後頭部の最も出張った部分、耳の上１センチ近辺、眉毛の上１センチ近辺を通過し、周回する部分をいう。
クラウン部とは、帽子の山の部分を指す。特に、クラウン部の天井にあたる部分はトップクラウンといい、クラウン部の側面周囲部分はサイドクラウンという。
ツバ部とは、クラウン部の裾から周囲に突き出た部分であり、日除けになる。前方のみに突き出たものやクラウン部全周に配されたものがある。
【０００５】
クラウン部内面にヘアピンまたはヘアクリップまたは櫛などを備え、着帽した際に髪の毛と係合させることにより飛脱を防ぐ帽子が知られている。
【０００６】
スベリを、フック側面ファスナーのように抵抗を有する生地で構成し、クラウン部の頭囲部分に取付けて、着帽時にスベリと頭部の間の抵抗により飛脱を防ぐ帽子が知られている。
スベリとは、クラウン部内面の頭囲部分に配設し、着帽した際に頭部が直接当たる頻度が最も高く、汗で汚れやすい部分である。ビン皮、汗取りバンドなどとも呼ばれる。
フック側面ファスナーとは、一対の面ファスナーのうちの鉤状（フック状）に起毛された表面を有する側の面ファスナーをいう。
また、フック側面ファスナーに押止する相手側の面ファスナーをループ側面ファスナーという。ループ側面ファスナーは、ループ状に密集して起毛された表面を有する側の面ファスナーである。
【０００７】
スベリ部分に伸縮性を有する生地を備え、着帽の際に、頭部にフィットする帽子が知られている。
また、伸縮性を有する生地で構成したスベリを、適宜箇所のみを頭囲部分に止め、着帽の際に頭部にフィットする帽子が開示されている（特許文献１、特許文献２）。
【先行技術文献】
【特許文献】
【０００８】
【特許文献１】特開２００３−１２９３２２号公報
【特許文献２】特開２００４−１２４２８５号公報
【特許文献３】特開平０９−１３７３１５号公報
【考案の概要】
【考案が解決しようとする課題】
【０００９】
従来、帽子が飛脱することによって、精神的ストレスが増加し、安全かつ集中力を維持した状態で作業または自転車の運転またはスポーツに取り組むことができない問題があった。
【００１０】
従来の帽子の飛脱を防ぐ顎紐は、あらゆる帽子に取付けることが可能であるが、帽子によってはファッション性に欠けるという問題があった。また、顎紐を使用しない場合の収納に困るという問題もあった。
【００１１】
従来の後頭部で頭囲部分の周囲長を調節するためのアジャスターを備えた帽子は、前頭部に硬い生地のツバ部を備えていた場合には前頭部の締め付けが弱くなり、前方からの風に対して飛脱を防ぐ効果が薄い問題があった。また、アジャスターを取り付ける後頭部のデザインが制限される問題もあった。
【００１２】
従来のクラウン部内面にヘアピンまたはヘアクリップまたは櫛などを備えた帽子は、髪の毛が長い場合には髪の毛とともに帽子が浮き上がってしまう問題があった。また、脱帽する際にヘアピンなどから髪の毛を離脱させることが煩瑣である問題があった。
一方、髪の毛が短い場合には、ヘアピンまたはヘアクリップまたは櫛などを係合させる対象がなく、飛脱を防ぐことができない問題があった。
【００１３】
従来のスベリを、フック側面ファスナーのように抵抗を有する生地で構成した帽子は、抵抗部分が頭部の髪の毛の無い部分と接触する場合には、抵抗が小さい、あるいは、肌触りが良くない問題があった。
【００１４】
従来のスベリ部分に伸縮性を有する生地を備えた帽子は、クラウン部下端とスベリの下端側を、スベリを伸長させた状態で接合させ、スベリの上端側はクラウン部に対してフリーで、下端側と比べ小さな円を描くよう設けられている。着帽者の頭囲がクラウン部の頭囲部分の寸法よりも小さい場合、スベリの上部で頭部を把持することになり、スベリの下部では頭部との密着性が低下し、頭部とクラウン部との一体感が薄れ、安定した着帽感が得られない問題があった。
また、このような帽子において、風による飛脱を考慮して、スベリ部分の生地の収縮力が強い帽子を選択した場合、伸縮力の調整を行えないことから、常に頭部が圧迫された状態となる問題があった。
さらに、スベリ部分の収縮力により、帽子の形状が変形する問題があった。
【００１５】
特許文献１に開示された、ブリム（ツバ部）の表地と裏地を離した構成とし、裏地のみ、そしてスベリを、伸縮性を有する生地で構成し、適宜箇所のみをクラウン部の頭囲部分に止めるだけの構造とした帽子は、異なるサイズの頭部にフィットすることを目的としている。
該帽子は、その目的として風による帽子の飛脱を防ぐことまでは想定しておらず、例えば、散髪やヘアカットにより髪の毛のボリュームが減少した際には、伸縮力の調整を行うことのできない前記スベリの頭部把持力は減少し、帽子が飛びやすくなってしまう問題があった。
【００１６】
特許文献２に開示された、クラウン部内面の頭囲部分に伸縮性ビン皮（スベリ）の両端を連結してクラウン部内部にフリーな状態で架け渡す構成の帽子は、該伸縮性ビン皮（スベリ）が後頭部に接触し、頭囲に応じて伸縮して頭部にフィットするが、クラウン部やツバ部が硬い生地であった場合には後頭部に比べて前頭部の把持力が弱く、前方からの風に対して飛脱を防ぐ効果が薄い問題があった。また、帽子に対してフリーとなっている伸縮性ビン皮（スベリ）部分が頭囲半周に相当しているため、手で押さえるなどしながら着帽しなければならない煩瑣があった。加えて、着帽者の頭囲がクラウン部の頭囲部分の寸法よりも小さい場合、後頭部とクラウン部との密着性が低下し、安定した着帽感が得られない問題があった。
【００１７】
特許文献３にクラウン部内面の頭囲部分であって、左右こめかみの上部が触れる所の間にメッシュ帯を渡し、その中間を額上部が触れる所に縫い付け、まわり縁（スベリ）前部内側と左右に渡したメッシュ帯との間に、弓形の隙間を設けた帽子が開示されている。
該帽子の目的は、クラウン部内部の前頭部分から空気を取り込み、通気をよくするものであり、自転車走行時のように多量の空気を取り込む際には、クラウン部内部に入り込んだ空気によって帽子が押し上げられ飛脱するという問題があった。また、クラウン部と頭部との間に隙間を設けることからサイズの大きい帽子を選択しなければならず、着帽した際の外観のバランスの悪さは否めない問題があった。
【００１８】
本考案は、上記課題を解決し、無風時には快適な着帽感を得られ、自転車の走行時に受けるような強風に対しては飛脱することを防ぐ帽子を提供することを目的とする。
【課題を解決するための手段】
【００１９】
上記課題を解決するため、本考案の帽子は、少なくともクラウン部の頭囲部分を有する帽子において、平帯状の弾性部材で形成され帽子内面に張り巡らせた頭部把持バンドと、  該頭部把持バンドを、前記クラウン部内面の両耳上部近傍を含む前半頭囲部分の前頭部と右側頭部と左側頭部の少なくとも３箇所で係合する手段と、を備え、前記頭部把持バンドの長さが前記クラウン部内面の右側頭部の係合位置から前頭部を経由し左側頭部の係合位置に至る弧の長さより短いことにより、着帽時に前記頭部把持バンドが頭部に密着し、把持することを特徴とする。
【００２０】
本考案の帽子は、前記係合する手段において、前頭部の係合する手段のみが頭部把持バンドにおける係合位置を変動させることが可能な係合手段であることを特徴とする。
【００２１】
本考案の帽子は、前記弾性部材がゴム紐であることを特徴とする。
【００２２】
本考案の帽子は、前記係合する手段のうち少なくとも右側頭部又は左側頭部のいずれかにおける当該係合する手段が前記頭部把持バンドの係合位置を調整することが可能な係合手段であることを特徴とする。
【００２３】
本考案の帽子は、前記係合する手段が、前記頭部把持バンドの脱着をすることが可能な係合手段であることを特徴とする。
【００２４】
本考案の帽子は、前記頭部把持バンドの脱着をすることが可能な係合手段が、前記頭部把持バンドの少なくとも３箇所の各係合位置に設けられた掛け止め片と、前記クラウン部内面の頭囲部分の各係合位置に配設された頭囲方向の複数個の掛け止め片受部と、を備え、  該掛け止め片と該掛け止め片受部とを掛け止めあるいは掛け外しすることにより前記頭部把持バンドの脱着を行い、前記掛け止め片を複数個設けられた前記掛け止め片受部の中から任意に選択して掛け止めすることにより前記頭部把持バンドの係合位置の調整を行うことを特徴とする。
【００２５】
本考案の帽子は、前記頭部把持バンドの脱着をすることが可能な係合手段が、前記頭部把持バンドの少なくとも３箇所の各係合位置に接合されたフック側面ファスナーと、前記クラウン部内面の頭囲部分の各係合位置に接合されたループ側面ファスナーと、を備え、該フック側面ファスナーと該ループ側面ファスナーとを押止あるいは剥離することにより前記頭部把持バンドの脱着を行い、前記フック側面ファスナーを前記ループ側面ファスナーの任意の位置に押止することにより前記頭部把持バンドの係合位置の調整を行うことを特徴とする。
【考案の効果】
【００２６】
本考案の帽子によれば、弾性部材で形成された頭部把持バンドがクラウン部内面の両耳上部近傍を含む前半頭囲部分の前頭部と右側頭部と左側頭部の少なくとも３箇所で係合され、右側頭部から前頭部を経由して左側頭部に至る伸縮部分が頭部を把持し、各係合位置で帽子を固定することにより、特に前方からの風に対して頭部把持力を発揮し、飛脱を防ぐ効果を奏する。
前頭部との接触を髪の毛ではなく、額で行うこともでき、髪の毛とともに帽子が浮き上がることを防ぐ効果を奏する。また、後頭部においては、スベリと、また、スベリがない場合にはクラウン部内面と頭部が直接密着し、帽子との一体感が得られる効果を奏する。
また、後頭部がスベリあるいはクラウン部内面と密着することにより、後頭部に帽子を軽く押し当て、次に帽子前頭部を下すだけで通常の帽子とほぼ同様に着帽できる効果を奏する。
帽子が飛脱することに対する精神的ストレスが軽減されることによって、安全かつ集中力を維持した状態で作業または自転車の運転またはスポーツに取り組むことができる効果を奏する。
前記頭部把持バンドをクラウン部内面の頭囲部分に係合することにより、外観からは該頭部把持バンドを視認されることはなく、ファッション性に影響を及ぼさない効果を奏する。また、前記頭部把持バンドを係合するのみであるため、外観のデザインを変更する必要がない効果を奏する。
本考案の帽子によれば、弾性部材で構成された前記頭部把持バンドの収縮力を、頭部把持力に有効に活用できる条件に設定することによって、帽子の飛脱を防ぐ効果を奏する。
【００２７】
本考案の帽子によれば、前頭部の係合する手段のみが頭部把持バンドにおける係合位置を変動させることが可能な係合手段とすることによって、前頭部から右側頭部に至る伸縮部分と前頭部から左側頭部に至る伸縮部分の収縮力の均衡を保つことができ、バランスよく頭部を把持できる効果を奏する。
【００２８】
本考案の帽子によれば、前記頭部把持バンドを構成する弾性部材がゴム紐であることから、吸汗性を有し、肌触りがよい効果を奏する。
【００２９】
前記頭部把持バンドが係合位置の調整を行う手段を備えていることにより、無風時には頭部把持力を減じておき、圧迫感のない快適な着帽感を得ることができる効果を奏する。
一方、自転車走行時のような強風に対しては頭部把持力を増して、帽子の飛脱を防ぐことで、手などで帽子を押さえる必要がなくなり、精神的なストレスから解放されるとともに安全である効果を奏する。
着帽者の髪形やボリュームの変化に合わせて頭部把持力を調節することができる効果を奏する。
何種類ものサイズの帽子を用意する必要がなく、ストックを減らすことができる効果を奏する。
【００３０】
本考案の帽子によれば、前記頭部把持バンドが脱着する手段を備えていることにより、無風時には取り外して着帽でき、通常の帽子と同等の着帽感を得られる効果を奏する。
汚れや傷みが発生したときには取り外して交換または洗濯できる効果を奏する。
頭部把持バンドを係合するための手段のみを、帽子に備えて販売し、後に頭部把持バンドを購入し装着することが可能である効果を奏する。
【００３１】
本考案の帽子によれば、前記頭部把持バンドが脱着かつ係合位置の調整を行う手段を備えていることにより、着帽時の状況あるいは着帽者の要望の変化に柔軟に対応することができる効果を奏する。
【００３２】
本考案の帽子によれば、頭部把持バンドの脱着かつ係合位置の調整を行う手段に掛け止め片と掛け止め片受部を採用しているため、脱着かつ係合位置の調整が容易である効果を奏する。
【００３３】
本考案の帽子によれば、頭部把持バンドの脱着かつ係合位置の調整を行う手段に面ファスナーを採用しているため、脱着かつ係合位置の調整が容易である効果を奏する。
【図面の簡単な説明】
【００３４】
【図１】頭部把持バンドを装着した帽子の外観図である。
【図２】頭部把持バンドを装着した帽子を着帽した状態を示した図である。
【図３】クラウン部内面から見た頭囲部分における頭部把持バンドの係合位置を示した図である。
【図４】頭部把持バンドを装着した帽子を着帽した際のクラウン部内面を示した図である。
【図５】掛け止め片を設けた頭部把持バンドの図である。
【図６】クラウン部内面の頭囲部分に掛け止め片受部の一例である受け糸を配設した帽子の図である。
【図７】コハゼを受け糸に掛け止めて頭部把持バンドを帽子に係合する図である。
【図８】フック側面ファスナーを接合した頭部把持バンドの図である。
【図９】クラウン部内面の頭囲部分にループ側面ファスナーを接合した帽子の図である。
【図１０】面ファスナーを押止し頭部把持バンドを帽子に係合する図である。
【図１１】異なる係合手段を組み合わせた帽子を示した図である。
【考案を実施するための形態】
【００３５】
本考案を実施するための形態にかかる帽子を図１から図４を参照して説明する。
図１は、頭部把持バンド１０を装着した帽子１の外観図である。
図１には、クラウン部２と全周にツバ部４を備えた帽子１を示した。
クラウン部２内面の両耳上部近傍を含む前半頭囲部分５の前頭部５１と右側頭部と左側頭部の３箇所に頭部把持バンド１０を係合している。
頭部把持バンド１０は弾性部材２３で形成されて、中央部と長手方向の両端にクラウン部２内面の頭囲部分５を係合する手段を設けた。
通常、クラウン部２内面の頭囲部分５には、スベリ６が、クラウン部２下端側のみを縫着あるいはスベリ６の上下両端を縫着して、取り付けられている。該スベリ６に頭部把持バンド１０を係合する手段を設けて、頭部把持バンド１０を装着する。
スベリ６を備えていない帽子１も存在するが、その場合には、クラウン部２内面の頭囲部分５に直接頭部把持バンド１０を係合する手段を設けて頭部把持バンド１０を装着する。
【００３６】
図２は、頭部把持バンド１０を装着した帽子１を着帽した状態を示した図である。
人が着帽する場合は、前方を視認しやすくするため、前頭部５１をやや浅く後頭部をやや深く着帽することが多い。また、前頭部５１は額に沿って風が帽子１の中に入り込みやすいのに対し、後頭部は髪の毛に遮られて風が帽子１の中に入り込みにくい。さらに、日光を遮るために、前頭部５１にのみツバ部４を有する帽子も多い。すなわち、帽子の飛脱はほとんどの場合前方からの風によるものである。したがって、前方からの風に対し飛脱を防ぐよう対策を行えば十分であり、後方からの風を考慮する必要性が少ないことから、帽子１のクラウン部２内面の前半頭囲部分５に頭部把持バンド１０を装着する構造とした。また、全周にわたり頭部把持バンドを設けた場合、着帽は頭部把持バンドを伸ばしつつ行う必要がある。特に髪の毛が引っ掛かる後頭部においては十分に伸ばしてから着帽しなければならず、煩瑣である。したがって、後半頭囲部分５には頭部把持バンド１０を装着しない構造とした。
該構造により、後頭部がスベリ６と、また、スベリ６がない場合にはクラウン部２内面と直接密着するので、後頭部に帽子１を軽く押し当て、次に帽子１の前頭部５１を下すだけで通常の帽子とほぼ同様に着帽できる。多少頭部把持バンド１０が引っ掛かる場合であっても両親指を軽く前頭部５１の伸縮部分に押し当てつつ帽子１の前頭部５１を下せば容易に着帽できる。
すなわち、本考案の帽子１は、頭部把持バンド１０をクラウン部２内面の前半頭囲部分５に限定して装着することにより、クラウン部２内面の頭囲部分５全体に頭部把持バンドを装着する場合と同等の飛脱を防ぐ効果と通常の帽子の場合と同様に着帽が容易であるという効果の両立を果たすことが可能となったのである。
【００３７】
図３は、クラウン部２内面から見た頭囲部分５における頭部把持バンド１０の係合位置を示した図である。
頭部把持バンド１０の係合位置ａ，ｂ，ｃを図２と図３に示した。
係合位置ａは、クラウン部２内面の頭囲部分５の前頭部５１、いわゆる額の部分である。
係合位置ｂは、クラウン部２内面の頭囲部分５の右側頭部であって、右耳の上部に位置する。
係合位置ｃは、クラウン部２内面の頭囲部分５の左側頭部であって、左耳の上部に位置する。
このとき、頭部把持バンド１０のｂａｃ間の長さがクラウン部２内面の頭囲部分５の弧ｂａｃの長さよりも短くなる関係が成り立つように設定することで、着帽した際に、弾性部材２３で形成された頭部把持バンド１０が収縮力を発揮し、着帽者の頭部５０を把持する。
しかし、頭部把持バンド１０のｂａｃ間の長さがクラウン部２内面の頭囲部分５の弧ｂａｃの長さより短くなり過ぎると、頭部把持バンド１０の収縮力により帽子１の形状が変形する場合がある。
そこで、本考案の帽子１を試作し、実験を行ったところ、頭部把持バンド１０のｂａｃ間の長さがクラウン部２内面の頭囲部分５の弧ｂａｃの長さより５ｃｍ程度短く設定したときに、頭部５０に適度の圧迫感を与え、風に対して飛脱を防ぐ効果を奏するが、帽子１の形状に対しては与える影響は少ないことが分かった。
一方で、頭部把持バンド１０を係合する生地の強度が異なると、また、弾性部材２３が有する弾性係数が異なると、頭部把持バンド１０が、帽子１や頭部５０に与える影響が異なることも分かった。
そのために、本考案の帽子１では、頭部把持バンド１０の脱着かつ係合位置の調整を行う手段を備えて、帽子１の強度または弾性部材２３の弾性係数によって形状を変形させることのないように調整でき、また、頭部５０に与える圧迫感をも調整できるものとした。
【００３８】
また、弾性部材２３の短手方向の幅は、特に限定されるものではない。しかし、５ｍｍ程度の幅では頭部５０への圧迫感が強くなり、５０ｍｍ程度の幅では前頭部５１の全域を被ってしまい髪形への影響が大きくなることを考慮すると、２０ｍｍから３０ｍｍ程度が好ましい。
【００３９】
頭部把持バンド１０を形成する弾性部材２３は、ゴム紐が、吸汗性を有し肌触りもよく好ましいが、これに限定されるものではない。
バイアス方向に裁断された伸縮性を有する生地（以下、バイアス生地）で被われた弾性部材２３を頭部把持バンド１０に使用することで、吸汗性を高めた、または、被り心地の良い帽子１を得ることができる（不図示）。
バイアスとは、織物の織り方向が、縦横に対して、斜めのことをいう。４５度の角度を成すものが、一般的なバイアスとして認識されており、伸びやなじみに優れている。
バイアス生地は、弾性部材２３に弛ませた状態で接合させると、弾性部材２３とともに伸縮し、弾性部材２３の収縮力を妨げることはない。素材としては、肌触りの良いシルク、または、吸汗性の良い綿であればローンが好ましい。また、バイアス生地を使用することにより、頭部把持バンド１０のデザインの幅が広がる。
【００４０】
図４は、頭部把持バンド１０を装着した帽子１を着帽した際のクラウン部２内面を示した図である。
右側頭部の係合位置ｂから前頭部５１の係合位置ａを経由して左側頭部の係合位置ｃに至る伸縮部分が頭部５０を把持し、各係合位置で帽子１を固定することにより、特に前方からの風に対して頭部把持力を発揮し、飛脱を防ぐ効果を奏する。
併せて、着帽すると同時に前頭部５１では、額と頭部把持バンド１０とクラウン部２が一体化し、後頭部では、頭部５０とクラウン部２が一体化して、安定した着帽感を得る効果を奏する。
【実施例１】
【００４１】
以下、本考案の実施の一の具体例を説明する。
図５は、掛け止め片を設けた頭部把持バンド１０の図である。
図５（ａ）は、掛け止め片の一例であるコハゼ２１を設けた頭部把持バンド１０の図である。
図５（ｂ）は、他の掛け止め片の一例であるフック２４を設けた頭部把持バンド１０の図である。
図６は、クラウン部２内面の頭囲部分５に掛け止め片受部の一例である受け糸２２を配設した帽子１の図である。
【００４２】
弾性部材２３で形成された頭部把持バンド１０の中央部と長手方向の両端に、掛け止め片としてコハゼ２１を採用した。コハゼ２１は、金属に比べて弾力のある樹脂部材であることが好ましい。両端のコハゼ２１は、前方より力を受けるために、前方に向けて掛け止片受部に掛け止めるように設ける。中央部のコハゼ２１は、脱帽方向に力を受けるために、弾性部材２３の長手方向に対して垂直方向に設ける。
コハゼ２１は、縫着により弾性部材２３に固定する。しかし、溶着あるいは接着などの方法によって固定してもよい。
【００４３】
また、図５（ｂ）に示したようなフック２４でもよい。掛け止め片受部が係合する際に窮屈になるようにフック２４の入口を設定して、軽く抵抗が発生するように設けておけば、頭部把持バンド１０が簡単に外れてしまうおそれがない。
【００４４】
一方、帽子１のクラウン部２内面の頭囲部分５には、掛け止め片受部として、受け糸２２を配設した（図６）。受け糸２２の一例としては、タコ糸が挙げられる。糸の強度を考慮すると化学繊維のモノフィラメント糸が好ましい。柔軟性を求める場合には撚糸を使用することが好ましい。
受け糸２２は、縫着により配設する。しかし、溶着あるいは接着などの方法によって配設してもよい。
【００４５】
図６で示したように、通常クラウン部２内面の頭囲部分５には、スベリ６が、クラウン部２下端側のみを縫着あるいはスベリ６の上下両端を縫着して、取り付けられている。受け糸２２は、帽子１の製造時において、該スベリ６に配設する。しかし、受け糸２２は構造が簡単であるため、既存の帽子１に配設することも可能である。
前頭部５１の係合位置ａでは、掛け止め片が図５（ａ）に示したコハゼ２１の場合には中央に受け糸２２を水平方向にして一本配設する。図５（ｂ）に示したフック２４の場合には中央に受け糸２２を垂直方向にして一本配設する（不図示）。
左右側頭部の係合位置ｂ，ｃでは、耳の上部近傍であって頭囲方向に適当な間隔を開けて受け糸２２を垂直方向にして複数個配設する。
スベリ６を備えていない帽子１も存在するが、その場合には、クラウン部２内面の頭囲部分５に直接、受け糸２２を同じ要領で配設する。
受け糸２２を配設する生地は、伸縮性を有さない生地が好ましい。伸縮性を有すると頭部把持バンド１０の収縮力が減殺され、頭部把持力の効果が薄れるからである。
【００４６】
図７は、コハゼ２１を受け糸２２に掛け止めて、頭部把持バンド１０を帽子１に係合する図である。
頭部把持バンド１０の中央部のコハゼ２１は、帽子１の係合位置ａの受け糸２２に、クラウン部２内面の上部側から帽子１の開口部側に向かって掛け止める。
係合位置ｂに係合するように設けられたコハゼ２１を、後頭部側から前頭部５１側に向けて右側頭部の係合位置ｂに配設された受け糸２２に掛け止める。
風の強さまたは着帽感または帽子１の生地の強度に応じて、複数個配設された受け糸２２の中から任意に係合位置ｂの受け糸２２を選択する。
もう一方の端のコハゼ２１を、後頭部側から前頭部５１側に向けて左側頭部の係合位置ｃに配設された受け糸２２に掛け止める。
係合位置ｂの場合と同様に、必要に応じて複数個配設された受け糸２２の中から任意に選択する。
【００４７】
強風の場合は、係合位置ｂ，ｃにおいては、後頭部寄りに受け糸２２を選択しコハゼ２１を掛け止め、頭部把持バンド１０の収縮力を強めて、帽子１の飛脱を防ぐ。
一方、無風の場合は、係合位置ｂ，ｃにおいて、前頭部５１寄りに受け糸２２を選択しコハゼ２１を掛け止め、頭部把持バンド１０の収縮力を弱めて、快適な着帽感を優先する。また、頭部把持バンド１０を取り外して着帽することも可能である。
【００４８】
本実施例では、頭部把持バンド１０の係合手段である掛け止め片と掛け止め片受部として、コハゼ２１またはフック２４と受け糸２２の例を示したが、ホックでもよい。
【実施例２】
【００４９】
以下、本考案の実施の他の具体例を説明する。
図８は、フック側面ファスナー３１を接合した頭部把持バンド１０の図である。
図９は、クラウン部２内面の頭囲部分５にループ側面ファスナー３２を接合した帽子１の図である。
【００５０】
係合手段としては、面ファスナーを採用した。
弾性部材２３で形成された頭部把持バンド１０の中央部と長手方向の両端にフック側面ファスナー３１を設けた。フック側面ファスナー３１は、肌触りが悪いため、頭部５０に接触する可能性がない頭部把持バンド１０に接合することとした。
接合は、縫着によって行う。しかし、溶着あるいは接着などの方法によって接合してもよい。
【００５１】
一方、帽子１のクラウン部２内面の頭囲部分５には、ループ側面ファスナー３２を配設した（図９）。ループ側面ファスナー３２は、フック側面ファスナー３１と比較して肌触りが良いため、頭部把持バンド１０を取り外して使用する場合を考慮して、頭部５０に接触するクラウン部２内面に接合することとした。
【００５２】
図９に示したように、通常クラウン部２内面の頭囲部分５には、スベリ６が、クラウン部２下端側のみを縫着あるいはスベリ６の上下両端を縫着して、取り付けられている。ループ側面ファスナー３２は、帽子１の製造時において、該スベリ６に接合する。しかし、面ファスナーの接合は容易であるため、既存の帽子１に接合することも可能である。
前頭部５１の係合位置ａでは、中央にループ側面ファスナー３２を接合する。
左右側頭部の係合位置ｂ，ｃでは、耳の上部近傍であって頭囲方向に長手の幅を有するループ側面ファスナー３２を配設する。
スベリ６を備えていない帽子１も存在するが、その場合には、クラウン部２内面の頭囲部分５に直接、ループ側面ファスナー３２を同じ要領で配設する。
ループ側面ファスナー３２を配設する生地は、伸縮性を有さない生地が好ましい。伸縮性を有すると頭部把持バンド１０の収縮力が減殺され、頭部把持力の効果が薄れるからである。
【００５３】
図１０は、面ファスナーを押止し頭部把持バンド１０を帽子１に係合する図である。
頭部把持バンド１０の中央部のフック側面ファスナー３１は、帽子１の係合位置ａのループ側面ファスナー３２に押止する。
頭部把持バンド１０の一方の端に設けられたフック側面ファスナー３１を、右側頭部の係合位置ｂに配設したループ側面ファスナー３２に押止する。
風の強さまたは着帽感または帽子１の生地の強度に応じて、ループ側面ファスナー３２の任意の位置にフック側面ファスナー３１を押止する。
もう一方の端のフック側面ファスナー３１を、左側頭部の係合位置ｃに設けたループ側面ファスナー３２に押止する。
係合位置ｂの場合と同様に、必要に応じてループ側面ファスナー３２の任意の位置に押止する。
頭部把持バンド１０に上下はないので、どちらの端を、係合位置ｂ，ｃに押止しても問題ない。
【００５４】
強風の場合は、係合位置ｂ，ｃにおいては、ループ側面ファスナー３２の後頭部寄りに頭部把持バンド１０のフック側面ファスナー３１を押止し、頭部把持バンド１０の収縮力を強めて、帽子１の飛脱を防ぐ。
一方、無風の場合は、係合位置ｂ，ｃにおいて、ループ側面ファスナー３２の前頭部５１寄りに頭部把持バンド１０のフック側面ファスナー３１を押止し、頭部把持バンド１０の収縮力を弱めて、快適な着帽感を優先する。また、頭部把持バンド１０を取り外して着帽することも可能である。
【実施例３】
【００５５】
以下、本考案の実施の他の具体例を説明する。
図１１は、異なる係合手段を組み合わせた帽子１を示した図である。
【００５６】
係合位置ｃは、頭部把持バンド１０と帽子１との係合手段として縫合を採用し、縫合部４２とした。
係合位置ｂは、頭部把持バンド１０と帽子１との係合手段としてコハゼ２１と受け糸２２を採用し、風の強さまたは着帽感または帽子１の生地の強度に応じて、複数個配設された受け糸２２の中から任意に係合位置ｂを選択できるものとした。
係合位置ａは、頭部把持バンド１０が頭囲方向に自在にすべり動くフリーホルダー４１を採用し、係合位置ｂの位置が変わっても、頭部把持バンド１０のａｂ間とａｃ間の収縮力の均衡が保てるものとした。
フリーホルダー４１は、頭部把持バンド１０が頭囲方向に自在にすべり動くことが可能なように緩く把持した状態で、帽子１の係合位置ａに取り付けるものである。本実施例では、タコ糸を採用した。柔軟性を有し肌触りがよく、かつ、強度の高い性質のものが好ましく、樹脂部材でもよい。
【００５７】
本実施例の帽子１では、係合位置の調整は、係合手段としてコハゼ２１を採用した係合位置ｂの１箇所でのみ行うこととした。急いで収縮力を加減する必要がある場合に、手間取ることなく行える。
【００５８】
本実施例で示したように、各係合位置の係合手段は、異なる係合手段を組み合わせて採用することも可能である。
【００５９】
本考案を実施するための形態では、全周に均等にツバ部４を備えた帽子１を例示した。しかし、本考案の帽子１は、ツバ部４の形状あるいは生地の強度に影響を受けないことは明らかである。
【００６０】
本考案を実施するための形態では、頭部５０全体を被うクラウン部２を備えた帽子１を例示した。しかし、本考案の帽子１は、サンバイザーのようにクラウン部２上部が備わっていないものであってもよいことは明らかである。
【符号の説明】
【００６１】
１  帽子
２  クラウン部
４  ツバ部
５  頭囲部分
６  スベリ
１０  頭部把持バンド
２１  コハゼ
２２  受け糸
２３  弾性部材
２４  フック
３１  フック側面ファスナー
３２  ループ側面ファスナー
４１  フリーホルダー
４２  縫合部
５０  頭部
５１  前頭部
ａ  係合位置（前頭部）
ｂ  係合位置（右側頭部）
ｃ  係合位置（左側頭部）
【図１】
0003183608.tif 000003
【図２】
0003183608.tif 000004
【図３】
0003183608.tif 000005
【図４】
0003183608.tif 000006
【図５】
0003183608.tif 000007
【図６】
0003183608.tif 000008
【図７】
0003183608.tif 000009
【図８】
0003183608.tif 000010
【図９】
0003183608.tif 000011
【図１０】
0003183608.tif 000012
【図１１】
0003183608.tif 000013